(57)【要約】【課題】収納が効率的に行え、住む人の暮らしに合わせて収容態様を変化させていくことができ、更に、十分な通気性を確保できる押入構造を提供する。【解決手段】押入構造１は、押入空間内に、すのこ状の中段部２と、この中段部２よりも上方に位置する枕棚３と、押入空間を左右に仕切るすのこ状の仕切り板４と、を備えており、上記枕棚３の下面には奥行き方向に延びるレール部５が横方向に間隔をおいて複数形成されており、上記仕切り板４が上記レール部５を利用して任意の位置に付け替え可能に配置される。【選択図】図１
2014047579.tif 000002
【特許請求の範囲】
【請求項１】
押入空間内に、すのこ状の中段部と、この中段部よりも上方に位置する枕棚と、押入空間を左右に仕切るすのこ状の仕切り板と、を備えており、上記枕棚の下面には奥行き方向に延びるレール部が横方向に間隔をおいて複数形成されており、上記仕切り板が上記レール部を利用して付け替え可能に配置されることを特徴とする押入構造。
【請求項２】
請求項１に記載の押入構造において、上記すのこ状の中段部の板間の隙間が奥行き方向に延びており、上記レール部とその下方に位置する上記隙間を利用して上記仕切り板が装着されることを特徴とする押入構造。
【請求項３】
請求項１または請求項２に記載の押入構造において、上記仕切り板は、複数の縦桟を有してなることを特徴とする押入構造。
【請求項４】
請求項１〜請求項３のいずれか１項に記載の押入構造において、上記押入空間の左右の壁に最も近い位置に配置されたときの上記仕切り板と上記壁との間に隙間が形成されることを特徴とする押入構造。
【請求項５】
請求項１〜請求項４のいずれか１項に記載の押入構造において、上記仕切り板は、その上端部の奥行き寸法が下端部の奥行き寸法よりも短いテーパ形状を有することを特徴とする押入構造。
【発明の詳細な説明】
【技術分野】
【０００１】
この発明は、通気性に優れた押入構造に関する。
【背景技術】
【０００２】
特許文献１には、複数の表面材と複数の裏面材と有し、前記複数の表面材を互いに所定間隔離間させてすのこ状に並列させるとともに、表面材の長手方向前端部、中間部及び後端部において、前記表面材の並列体の幅方向に沿ってそれぞれ前記裏面材を配置して、これら裏面材を表面材に固定してなる押入用中段棚板が開示されている。
【０００３】
また、特許文献２には、すのこ形状の中棚の構築に際して、すのこ板の連結部材と載置根太を兼用して省資材とし、且つ構築を容易にした中棚構築キットが開示されている。
【０００４】
さらに、特許文献３には、押入の下面を吸気口側に位置させ押入の上面を排気口に位置させた家屋の押入換気構造が開示されている。
【先行技術文献】
【特許文献】
【０００５】
【特許文献１】特許第２９９７２５６号
【特許文献２】実用新案登録第３１１５６５１号
【特許文献３】実開平１―９２４４４号公報
【発明の概要】
【発明が解決しようとする課題】
【０００６】
しかしながら、上記いずれの特許文献も押入の上下方向の通気性を良好にしただけであり、また、収納が効率的に行えるものではなかった。
【０００７】
この発明は、上記の事情に鑑み、収納が効率的に行え、住む人の暮らしに合わせて収容態様を変化させていくことができ、更に、十分な通気性を確保できる押入構造を提供することを課題とする。
【課題を解決するための手段】
【０００８】
この発明の押入構造は、上記の課題を解決するために、押入空間内に、すのこ状の中段部と、この中段部よりも上方に位置する枕棚と、押入空間を左右に仕切るすのこ状の仕切り板と、を備えており、上記枕棚の下面には奥行き方向に延びるレール部が横方向に間隔をおいて複数形成されており、上記仕切り板が上記レール部を利用して付け替え可能に配置されることを特徴とする。
【０００９】
上記の構成であれば、押入空間を左右に仕切る上記仕切り板が上記枕棚の下面に形成された任意のレール部を利用して任意の位置に付け替え可能に配置されるので、収納が効率的に行え、住む人の暮らしに合わせて収容態様を変化させていくことができる。また、上記仕切り板がすのこ状であるので、上記すのこ状の中段部による上下方向の通気性だけでなく、横方向の通気性についても良好にできる。
【００１０】
上記すのこ状の中段部の板間の隙間が奥行き方向に延びており、上記レール部とその下方に位置する上記隙間を利用して上記仕切り板が装着されることとしてもよい。これによれば、上記中段部に仕切り板専用の案内部を形成する必要がなく、構造の簡素化が図れる。
【００１１】
上記仕切り板は、複数の縦桟を有してなることとしてもよい。これによれば、上記仕切り板に加わる横からの力を上記複数の縦桟で受け止めることになり、上記縦桟に加わる力は上記レール部、さらには上記中段部の隙間で受け止められ、上記仕切り板を撓みにくくできる。
【００１２】
上記押入空間の左右の壁に最も近い位置に配置されたときの上記仕切り板と上記壁との間に隙間が形成されるようにしてもよい。これによれば、押入内の壁側に収容される収容物は上記壁に最も近い仕切り板で位置規制され、上記収容物と上記壁との間に通気隙間が確保されるので、通気性を良好にできる。
【００１３】
上記仕切り板は、その上端部の奥行き寸法が下端部の奥行き寸法よりも短いテーパ形状を有することとしてもよい。これによれば、上記仕切り板による圧迫感を軽減できる。また、枕棚への収納物の出し入れにおいて上記仕切り板が邪魔になりにくい。
【発明の効果】
【００１４】
本発明であれば、収納が効率的に行え、住む人の暮らしに合わせて収容態様を変化させていくことができ、更に、十分な通気性を確保することができるという効果を奏する。
【図面の簡単な説明】
【００１５】
【図１】同図（Ａ）および（Ｂ）は本発明の一実施形態に係る押入構造を示した斜視図である。
【図２】図１に示した押入構造の側面から見た説明図である。
【図３】図１に示した押入構造の使用例を示す説明図である。
【図４】図１に示した押入構造の使用例を示す説明図である。
【図５】図１に示した押入構造の使用例を示す説明図である。
【発明を実施するための形態】
【００１６】
次に、この発明の実施形態に係る押入構造を添付図面に基づいて具体的に説明する。なお、本発明に係る押入構造は、下記の実施形態に示したものに限定されず、その要旨を変更しない範囲において適宜変更して実施できるものである。
【００１７】
図１（Ａ）（Ｂ）および図２に示すように、この実施形態の押入構造１は、押入空間内に、すのこ状の中段部２と、この中段部２よりも上方に位置する枕棚３と、押入空間を左右に仕切るすのこ状の仕切り板４と、を備えている。この押入構造１の開口面には図示しない襖が配置される。
【００１８】
上記すのこ状の中段部２は、奥行き方向に長い複数の薄板２ａを横方向に所定間隔をおいて配置し、これら複数の薄板２ａが裏面に設けた板材２ｂによって相互に固定されたものである。上記薄板２ａの配置態様により、当該薄板２ａ間の隙間は、押入空間の奥行き方向に延びて形成される。
【００１９】
上記枕棚３は上記中段部２よりも奥行きを浅くして形成される。また、上記枕棚３の下面には奥行き方向に延びるレール部５が横方向に間隔をおいて複数形成されている。上記レール部５は、２枚の薄板を離間させて配置し、上記離間部を凹溝としたものである。また、各レール部５は、その真下に上記薄板２ａ間の隙間が位置するよう設けられている。
【００２０】
上記仕切り板４は、水平上端部と水平下端部との間に複数の縦桟４ａを有してなる。また、上記仕切り板４は、上記水平上端部の奥行き寸法が上記水平下端部の寸法よりも短いテーパ形状を有する。例えば、上記水平下端部の寸法は上記中段部２の奥行き寸法と同寸とされ、上記水平上端部の寸法は上記枕棚３の奥行き寸法と同寸とされる。
【００２１】
また、上記仕切り板４の上記水平上端部の幅は上記レール部５（凹溝）に入る寸法とされ、上記水平下端部の幅は上記薄板２ａ間の隙間に入る寸法とされている。そして、上記仕切り板４は、任意の上記レール部５と上記薄板２ａ間の隙間を利用して任意の位置に付け替え可能に配置される。また、上記中段部２において、上記押入空間の左右の壁に最も近い位置には上記薄板２ａが配置されているので、上記仕切り板４が上記押入空間の左右の壁に最も近い位置に配置されたときの上記仕切り板４と上記壁との間には隙間が形成される。
【００２２】
この実施形態では、押入床面から上記中段部２までの高さ寸法は市販二段収納ケースが入る程度の７００ｍｍとされており、上記中段部２から上記枕棚３までの高さ寸法は布団縦置幅サイズの１０５０ｍｍとされており、押入床面から上記枕棚３までの高さ寸法は大人女性が手の届く程度の１９００ｍｍとされている。なお、上記中段部２と上記枕棚３との間の収納奥面に横桟を３本程度配置し、収容物が押入奥面に触れて通気性を損ねるのを防止するようにしてもよい。
【００２３】
図３は図２に対応させて上記押入構造１の使用形態を示した説明図である。上記中段部２には二段ケース１１が設けられている。そして、襖で引き出しにくい上記ケース１１の左の上下２個の引き出し部分１１ａは引き出されて上記枕棚３上に置かれている。そして、上記ケース１１の左の上下２個のケース枠部分にはタオルケットや毛布が丸められて収納される。上記押入構造１の左側空間は２個の仕切り板４が設けられており、これら２個の仕切り板４の間に掛け布団が畳まれて収納される。敷布団は上記ケース１１の上に配置され、上記掛け布団と敷布団とが分けて収納することができる。
【００２４】
図４に示す使用形態では、上記中段部２の上と下に市販のラック１２を配置し、高さのある空間を仕切って収納物の出し入れをしやすくしている。また、板（或いはすのこ）１３にキャスターを取り付け、奥のものを出しやすくしている。
【００２５】
図５に示す使用形態では、上記押入構造１の空間は４個の上記仕切り板４によって中央空間と左右空間とに仕切られておいる。上記中央空間は襖の縁が位置するため引き出しにくいので、比較的小さなものが収容される。
【００２６】
以上述べたように、上記仕切り板４が上記枕棚３の下面に形成された任意のレール部５を利用して任意の位置に付け替え可能に配置されて上記押入空間内を左右に仕切ることができるので、収納が効率的に行え、住む人の暮らしに合わせて収容態様を変化させていくことができる。また、上記仕切り板４がすのこ状であるので、上下方向の通気性だけでなく横方向の通気性についても良好にできる。
【００２７】
上記中段部２の薄板２ａ間の隙間が奥行き方向に延びており、上記レール部５とその下方に位置する上記薄板２ａ間の隙間を案内部として利用して上記仕切り板４が装着されるので、上記中段部２に仕切り板専用の案内部を形成する必要がなく、構造の簡素化が図れる。
【００２８】
また、上記仕切り板４は、これに加わる横からの力を上記複数の縦桟４ａで受け止めることになり、上記縦桟４ａに加わる力は、上記レール部５と上記中段部２の薄板２ａ間の隙間とにより受け止められるから、上記仕切り板４を撓みにくくできる。
【００２９】
また、上記押入空間の左右の壁に最も近い位置に配置されたときの上記仕切り板４と上記壁との間に隙間が形成されるようにしたので、押入内の壁側に収容される収容物は上記壁に最も近い仕切り板４で位置規制される。これにより、上記収容物と上記壁との間に通気隙間が確保され、通気性を良好にできる。
【００３０】
また、上記仕切り板４は、上記水平上端部の奥行き寸法が上記水平下端部の奥行き寸法よりも短いテーパ形状を有するので、上記仕切り板４による圧迫感を軽減できる。また、上記枕棚３への収納物の出し入れにおいて上記仕切り板４が邪魔になりにくい。
【符号の説明】
【００３１】
１      押入構造
２      中段部
２ａ    薄板
２ｂ    板材
３      枕棚
４      仕切り板
４ａ    縦桟
５      レール部
【図１】
2014047579.tif 000003
【図２】
2014047579.tif 000004
【図３】
2014047579.tif 000005
【図４】
2014047579.tif 000006
【図５】
2014047579.tif 000007